(57)【要約】【課題】高さ調整可能なゴルフティーを提供する。【解決手段】ゴルフティー１の軸体１１にはゴルフボールが載置されるボール載せ部１２が設けられ、軸体１１の他側には地上の所定位置に挿入される突き刺し部１３が設けられ、固定台２がボール載せ部１２下方に設置される。ゴルフティー１の突き刺し部１３が固定台２に設けられた貫通孔２４内に挿入されて安定的に固定される。接続紐３が固定台２の貫通孔２４に貫通され、接続紐３とゴルフティー１が離れるのを防止する。固定台２と軸体１１の間に複数の種々の厚さのパッド２３を挿通して設けることにより異なる打球者の必要に合わせて固定台２からゴルフティー１の高さを調整する。【選択図】図２
2008220964.tif 000002
【特許請求の範囲】
【請求項１】
ゴルフティーは、ゴルフティーおよび固定台から構成され、
前記ゴルフティーは、その上部にゴルフボールが載置されるボール載せ部が設けられ、前記ボール載せ部の他側には軸体が延長して設けられて地上に挿入する突き刺し部が設けられ、
前記固定台は、前記ゴルフティーに設けられた突き刺し部が挿入されて固定される貫通孔が設けられた基部、及び固定台基部上方に配置されて同じく貫通孔が設けられて該固定台と高さ軸体の間に配置されて高さ調整するパッドからなることを特徴とする高さ調整可能なゴルフティー。
【請求項２】
前記ゴルフティーの突き刺し部のパッドに対応する位置表面には、定位部が設けられ、前記定位部は一つ以上の凸リブまたはレール溝、或いは一つ以上の定位凸部または凹溝が設けられ、前記固定台の貫通孔内には前記定位部に対応した位置規制部が設けられ、前記位置規制部は一つ以上の凸リブまたはレール溝、或いは一つ以上の定位凸部または凹溝が設けられ、前記固定台の基部上に複数のパッドを配置したことを特徴とする請求項１記載の高さ調整可能なゴルフティー。
【請求項３】
前記複数のパッドは、前記ゴルフティーの突き刺し部のサイズ、形状または高さに合わせてゴルフティーにおいて交換され、前記複数のパッドは全て同一の厚さ、全て異なる厚さ、一部同一の厚さまたは一部異なる厚さであることを特徴とする請求項１記載の高さ調整可能なゴルフティー。
【請求項４】
前記ゴルフティーの突き刺し部表面には、更に複数の定位溝が設けられ、前記固定台に設けられた基部内部には更に押圧ロッドがそれぞれ相対して設けられ、前記押圧ロッド一側末端には前記ゴルフティーの複数の定位溝に進入して固定される係合凸部が設けられ、前記押圧ロッドの前記係合凸部に相対する他側には弾性支持されるばねが設けられたことを特徴とする請求項１記載の高さ調整可能なゴルフティー。
【請求項５】
前記固定台に設けられた基部内部には、更にＵ形の弾性部材が設けられ、前記弾性部材両側には前記ゴルフティーに設けられた複数の定位溝に係合支持されて固定される支持アームが設けられたことを特徴とする請求項１記載の高さ調整可能なゴルフティー。
【発明の詳細な説明】
【技術分野】
【０００１】
本発明は、高さ調整可能なゴルフティーに関し、特に、固定台を打球者が必要とするゴルフティーの高さに合わせて垂直に滑動移動させて高さ調整をして使用でき、またゴルフティーに紐を接続してゴルフティーの遺失を防止することができるゴルフティーに関する。
【背景技術】
【０００２】
各打球者の身長、腕の長さ、グリップ方法およびスイング姿勢はそれぞれ異なり、また打球場所の地形などの影響を受けるので、適当な高さのゴルフティーを使用することは打球者が好適な姿勢でゴルフボールの中心を打撃するのに有効であり、それによってスイング力を最大限にボールに伝えることができる。ゴルフティーが低すぎる場合、打球者はグリップ方法またはスイング姿勢を変更する必要があるので、打球姿勢が崩れてしまい、スイング力を適切にボールに伝えることができない。反対にゴルフティーが高すぎる場合、打球者がスイングしたとき、ゴルフボールの上縁または下縁を打撃しやすくなり、打球の正確性が影響を受け、ゴルフクラブがボール載せ部を打撃してゴルフティーが破損してしまったり、また、打球者がボールを打撃した後、ゴルフティーが飛んで行って探さなくてはならなくなる状況が発生したりする。
【０００３】
本発明の発明者は上述の欠点に鑑み、関連資料を収集し、本業界での長年の経験、幾度もの試作および修正からついに本発明の高さ調整可能なゴルフティーを案出した。
【特許文献１】特開平５−２１２１４２号公報
【特許文献２】登録実用新案第３０１８９０６号公報
【発明の開示】
【発明が解決しようとする課題】
【０００４】
本発明の目的は、打球者の身長、腕の長さ、グリップ方法、スイング姿勢または打球場所の地形などの要素が確定した後、固定台をゴルフティーの突き刺し部の長さ、形状または高さに合わせてゴルフティー上において交換してゴルフティーの高さを調整することができ、適用性および実用性に優れた高さ調整可能なゴルフティーを提供することにある。
【課題を解決するための手段】
【０００５】
上述の課題を解決するために、請求項１の発明は、様々な高さに調整することができ、また回収して何度も使用可能なゴルフティーであって、ゴルフティーはゴルフティーおよび固定台から構成され、ゴルフティーの上部にはゴルフボールが載せられるボール載せ部が設けられ、軸体のボール載せ部から離れた他側には所定の位置に挿入される突き刺し部が設けられ、固定台はボール載せ部下方に設けられ、基部にはゴルフティーに設けられた突き刺し部が挿入されて固定される貫通孔が設けられることを特徴とする高さ調整可能なゴルフティーである。
【０００６】
請求項２の発明は、ゴルフティー表面には定位部が設けられ、定位部は一つまたは一つ以上の凸リブまたはレール溝であるか、或いは一つまたは一つ以上の定位凸部または凹溝が設けられた構造であり、固定台の貫通孔内には定位部に対応した位置規制部が設けられ、位置規制部は一つまたは一つ以上の凸リブまたはレール溝であるか、或いは位置規制部にはさらに一つまたは一つ以上の定位凸部または凹溝が設けられ、固定台の基部には複数のパッドを有する支持部が設けられることを特徴とする請求項１記載の高さ調整可能なゴルフティーである。
【０００７】
請求項３の発明は、複数のパッドは、ゴルフティーの突き刺し部のサイズ、形状または高さに合わせてゴルフティー上において交換され、複数のパッドは全て同一の厚さ、全て異なる厚さ、一部同一の厚さまたは一部異なる厚さであることを特徴とする請求項１記載の高さ調整可能なゴルフティーである。
【０００８】
請求項４の発明は、ゴルフティーの突き刺し部表面には、更に複数の定位溝が設けられ、固定台に設けられた基部内部には更に押圧ロッドがそれぞれ相対して設けられ、押圧ロッド一側末端にはゴルフティーの複数の定位溝に進入して固定される係合凸部が設けられ、押圧ロッドの係合凸部に相対する他側には弾性支持されるばねが設けられることを特徴とする請求項１記載の高さ調整可能なゴルフティーである。
【０００９】
請求項５の発明は、固定台に設けられた基部内部には、更にＵ形の弾性部材が設けられ、弾性部材両側にはゴルフティーに設けられた複数の定位溝に係合支持されて固定される支持アームが設けられることを特徴とする請求項１記載の高さ調整可能なゴルフティーである。
【発明の効果】
【００１０】
本発明は、高さ調整可能なゴルフティーを提供するものであり、ゴルフティーの軸体にはゴルフボールが載置されるボール載せ部が設けられ、軸体の他側には所定位置に挿入される突き刺し部が設けられ、固定台がボール載せ部下方に設置され、ゴルフティーの突き刺し部が固定台に設けられた貫通孔内に挿入されて安定的に固定される。接続紐が固定台の貫通孔に貫通され、接続紐とゴルフティーが離れるのを防止し、打球者の必要に合わせて固定台を調整してゴルフティーの高さを変更して固定することができ、優れた適用性および実用性を有し、ゴルフティーの遺失を防ぐことができる。
【発明を実施するための最良の形態】
【００１１】
本発明の目的、特徴および効果を示す実施例を図に沿って詳細に説明する。
【００１２】
図１は本発明のゴルフティーを示す斜視図である。図２は本発明を示す分解斜視図である。図から分かるように、本発明はゴルフティー１、固定台２および接続紐３から構成される。
【００１３】
ゴルフティー１の軸体１１上部にはゴルフボールが載置されるボール載せ部１２が設けられ、ボール載せ部１２中央表面にはゴルフボール表面に密着されてゴルフボールを固定する弧形面１２１が設けられ、軸体１１のボール載せ部１２から離れた他側には所定の位置に挿入される突き刺し部１３が設けられる。
【００１４】
固定台２は、ゴルフティー１のボール載せ部１２下方に設けられ、固定台２の基部２１中央表面からは上方に複数のパッド２３を有する支持部２２が設けられ、基部２１と複数のパッド２３との間にはゴルフティー１の突き刺し部１３が挿入されて固定される貫通孔２４が設けられ、基部２１の支持部２２に相対する外側には複数の接続紐３が貫通される穿孔２５が設けられる。
【００１５】
接続紐３の一側は、固定台２の穿孔２５に貫通され、接続紐３の他側は予め設けられた杭の穿孔に貫通され、上述の部材が接合されて本発明が完成される。
【００１６】
上述の突き刺し部１３、固定台２および複数のパッド２３は金属、木材、硬質プラスティックまたは硬質材料から構成することができる。固定台２および複数のパッド２３は一体成形または別々に製造、販売および使用をすることができ、複数のパッド２３は打球者が使用するゴルフクラブのサイズなどの相違に基づいて、ゴルフティー１に固定台２の様々な厚さの複数のパッド２３を組合せて、打球者が様々なゴルフクラブ（例えばウッドまたはアイアン）を使用するとき、好適な複数のパッド２３を選択してゴルフティー１に組合せて使用し、好適な高さのゴルフティー１を構成して打球の正確性を高めることができる。
【００１７】
図３は、本発明の使用時の状態を示す断面図である。図から分かるように、上述の部材を組立てるとき、先ず、ゴルフティー１の突き刺し部１３を固定台２に設けられた貫通孔２４内に挿通する。このとき、突き刺し部１３と貫通孔２４との孔径は異なるので、ゴルフティー１を固定台２内に圧入して安定した固定をすることができ、複数のパッド２３を固定台２の支持部２２上に支持して固定し、接続紐３を固定台２の穿孔２５に挿通し、接続紐３のストッパ部３１によって接続紐３とゴルフティー１が分離するのを防止するようにして、以上のようにして本発明の組立が完成される。
【００１８】
上述の固定台２に設けられた複数のパッド２３はゴルフティー１の突き刺し部１３のサイズ、形状または高さの違いに合わせてゴルフティー１において交換することができ、複数のパッドは全て同一の厚さ、全て異なる厚さ、一部同一の厚さまたは一部異なる厚さとして、複数のパッド２３を組合せて設置することによって打球者の必要に応じてゴルフティー１の高さを調整して使用することができる。
【００１９】
図４は、本発明の第１の実施例を示す側方断面図である。図から分かるように、使用時、先ず、ゴルフティー１の突き刺し部１３を固定台２に設けられた貫通孔２４内に挿入して安定的に固定し、接続紐３を固定台２の穿孔２５に貫通し、接続紐３のストッパ部３１によって接続紐３とゴルフティー１が分離するのを防止する。接続紐３両端には直径が穿孔２５、４１より大きいストッパ部３１が設けられ、ストッパ部３１によってゴルフティー１と他のゴルフティー１が分離するのを防止することができる。ゴルフティー１の突き刺し部１３を所定の位置（地表またはティーグランド）に挿入し、基部２１の直径は軸体１１の直径よりも大きいので、ゴルフティー１を固定台２の支持部２２を通じて地表面上に固定することができ、位置が移動したり、動揺することがない。ゴルフティー１上部のボール載せ部１２にゴルフボールを載せ、ゴルフボールをボール載せ部１２の弧形面１２１上に安定して密着させることができ、打球者がゴルフクラブを使用してゴルフボールを打撃した後、ゴルフティー１は地表を離れて前方に移動するが、接続紐３が設置されているので、ゴルフティー１を簡単に回収することができ、ゴルフティー１が遺失するのを防止し、ゴルフティー１を浪費するのを防止できる。
【００２０】
上述のゴルフティー１は、打球者の必要に合わせて、打球者の身長、腕の長さ、グリップ方法、スイング姿勢または打球場所の地形などの要素が確定した後、ゴルフティー１の高さを調整することができる。先ず、固定台２をゴルフティー１の突き刺し部１３から取り外し、固定台２に適宜のパッド２３を組合せることによって、ゴルフティーの高さを調整することができ、ゴルフティーの適用性および実用性を高めることができる。
【００２１】
図５は、本発明の第２の実施例を示す分解斜視図である。図から分かるように、本発明は突き刺し部１３表面に更に複数の定位部１３１を設けることができ、固定台２の貫通孔２４内側表面に複数の定位部１３１とお互いに対応する位置規制部２４１を設けることができ、ゴルフティー１に設けられた定位部１３１の複数のレール溝（または凸リブ）と固定台２に設けられた位置規制部２４１の複数の凸リブ（またはレール溝）をお互いに係合させる。
【００２２】
上述の定位部１３１は、一つまたは一つ以上のレール溝（または凸リブ）であり、位置規制部２４１は一つまたは一つ以上の凸リブ（またはレール溝）である。ゴルフティー１の定位部１３１と固定台２の位置制限部２４１とを係合固定するとき、凸リブ（またはレール溝）を若干孔径の小さなレール溝（または凸リブ）内に押入してお互いに係合し、固定台２を更に安定的にゴルフティー１の突き刺し部１３上に接合することができ、固定台２によってゴルフティー１の構造が強化される。また、定位部１３１および位置規制部２４１はお互いに嵌合固定される定位凸部または凹溝とすることができ、緩んだり、脱落したりするのを防止できる。
【００２３】
図６は、本発明の第３の実施例の分解斜視図である。図７は本発明の第３の実施例の押圧ロッドの使用時の状態を示す断面図である。図から分かるように、ゴルフティー１の突き刺し部１３表面に複数の定位溝１３２を設けて、固定台２に設けられた基部２１内部には略Ｌ形で相対して設置される押圧ロッド２１１をそれぞれ設ける。押圧ロッド２１１一方側の末端にはゴルフティー１の複数の定位溝１３２に進入させて固定される係合凸部２１２が設けられ、押圧ロッド２１１の係合凸部２１２に相対する他側には弾性支持するばね２１３が設けられる。
【００２４】
使用時に、押圧ロッド２１１を固定台２の基部２１内部に相対するように設置し、各押圧ロッド２１１一側にはばね２１３が接続され、ゴルフティー１の突き刺し部１３を固定台２に設けられた貫通孔２４内に挿入する。その時、押圧ロッド２１１はばね２１３の弾性力を受け、係合凸部２１２がゴルフティー１の複数の定位溝１３２内に係合固定される。固定台２をゴルフティー１から外すとき、基部２１両側に設けられた押圧ロッド２１１を同時に押圧し、押圧ロッド２１１が力を受け、ばね２１３方向に圧迫されて固定台２内部に収縮し、係合凸部２１２を定位溝１３２からスムーズに離脱させることができ、ゴルフティー１を垂直方向へ移動させることができ、打球者の必要に合わせ、ゴルフティー１の高さを調整することができる。
【００２５】
上述のゴルフティー１の突き刺し部１３表面の各複数の定位溝１３２に対応する位置には表示記号を設けることにより、打球者はゴルフティー１の高さを固定台２上で正確に調整し、ゴルフティー１を打球者に適合する高さに調整することができ、打球者の打球の正確性および打球精度を高めることができる。
【００２６】
図８は、本発明の第４の実施例を示す分解斜視図であり、図から分かるように、固定台２の基部２１内部に略Ｕ形の弾性部材２１４を設け、弾性部材２１４両側にはゴルフティー１に設けられた複数の定位溝１３２に係合固定される支持アーム２１５をそれぞれ設ける。
【００２７】
使用時、先ず、ゴルフティー１の突き刺し部１３を固定台２に設けられた貫通孔２４内に挿入する。その時、弾性部材２１４の支持アーム２１５が突き刺し部１３の軸方向の回動によって所定の角度におしやられ、発生した圧迫力によって外側に拡張し、ゴルフティー１をスムーズに固定台２内に嵌入させることができる。弾性部材２１４の復位弾性力によって支持アーム２１５をゴルフティー１の複数の定位溝１３２内に係合支持させることができ、干渉状態が形成される。ゴルフティー１は固定台２内で垂直方向に滑動移動し、軸方向の回動を補助し、ゴルフティー１の複数の定位溝１３２を固定台２の弾性部材２１４上に係合支持することができ、安定した確実な固定をすることができる。
【００２８】
本発明の高さ調整可能なゴルフティーが従来技術を改善する技術的特徴を下記に示す。
【００２９】
１．固定台２に設けられた複数のパッド２３は、ゴルフティー１のサイズ、形状または高さの違いに合わせてゴルフティー１上において交換することができ、複数のパッド２３は全て同一の厚さ、全て異なる厚さ、一部同一の厚さまたは一部異なる厚さであり、複数のパッド２３を打球者の様々な必要に応じて組み合わせ、ゴルフティー１の高さを調整することができる。
２．ゴルフティー１の定位部１３１と固定台２の位置規制部２４１とを係合固定するとき、凸リブ（またはレール溝）を孔径がやや小さいレール溝（または凸リブ）内に押入し、固定台２を安定的にゴルフティー１の突き刺し部１３に接合することができ、固定台２によってゴルフティー１の構造を強化でき、安定な固定を達成することができる。
【００３０】
以上の説明は本発明の好適な実施例を示すものであり、本発明の特許請求の範囲を制限するものではなく、本明細書および図面を応用した簡易な修飾および同等効果の変更は全て本発明の特許請求の範囲に含まれる。
【図面の簡単な説明】
【００３１】
【図１】本発明を示す斜視図である。
【図２】本発明を示す分解斜視図である。
【図３】本発明の使用時の状態を示す側面断面図である。
【図４】本発明の第１の実施例を示す側面断面図である。
【図５】本発明の第２の実施例を示す分解斜視図である。
【図６】本発明の第３の実施例を示す分解斜視図である。
【図７】本発明の押圧ロッドの使用時の状態を示す断面図である。
【図８】本発明の第４の実施例を示す分解斜視図である。
【符号の説明】
【００３２】
１  ゴルフティー
１１  軸体
１２  ボール載せ部
１２１  弧形面
１３  突き刺し部
１３１  定位部
１３２  定位溝
２  固定台
２１  基部
２１１  押圧ロッド
２１２  係合凸部
２１３  ばね
２１４  弾性部材
２１５  支持アーム
２２  支持部
２３  パッド
２４  貫通孔
２４１  位置規制部
２５  穿孔
３  接続紐
３１  ストッパ部
４  杭
４１  穿孔
【図１】
2008220964.tif 000003
【図２】
2008220964.tif 000004
【図３】
2008220964.tif 000005
【図４】
2008220964.tif 000006
【図５】
2008220964.tif 000007
【図６】
2008220964.tif 000008
【図７】
2008220964.tif 000009
【図８】
2008220964.tif 000010